(57)【要約】【課題】メリヤス編みによる編成であるにもかかわらず、編成方向である縦軸方向と、この縦軸方向に対して直交する方向である横軸方向とに同等な伸縮性を形成することができる二軸伸縮生地を提供する点にある。【解決手段】伸縮性編糸１１ａ，１１ｂを用いてメリヤス編みされた編地１の編成方向に沿って、編地の外面側にループ状に突出するパイル糸２がメリヤス編みによって編み込まれるパイル編成部分３を間欠に編成してある。【選択図】　　　　図１
2004100078.tif 000002
【特許請求の範囲】
【請求項１】
伸縮性編糸を用いてメリヤス編みされた編地の編成方向に沿って、編地の外面側にループ状に突出するパイル糸がメリヤス編みによって編み込まれるパイル編成部分を間欠に編成してある二軸伸縮生地。
【請求項２】
前記編地が、筒状生地によって構成されている請求項１記載の二軸伸縮生地。
【請求項３】
前記パイル編成部分が、筒状生地の筒長手方向に沿って編地部分と交互に編成されている請求項２記載の二軸伸縮生地。
【請求項４】
前記伸縮性編糸が、収縮方向の弾性付勢力に抗して引伸ばし自在な弾性糸から構成されている請求項１、２又は３記載の二軸伸縮生地。
【発明の詳細な説明】
【０００１】
【発明の属する技術分野】
本発明は、編成方向である縦軸と編成方向と直行する方向である横軸との二軸方向に伸縮性を有する二軸伸縮生地に関する。
【０００２】
【従来の技術】
一般に、メリヤス編みされたニット等の生地の場合、編成方向つまり縦軸方向の伸縮性に比べて、この縦軸と直交する横軸方向の伸縮性は大きな生地特性を有している。例えば、メリヤス編みされた靴下を説明すると、横軸方向に該当する足幅方向や足首周り径方向の伸縮性は大きいのに比べて、縦軸方向に該当する足長手方向の伸縮性は小さくなっていることからも理解することができる。
近時、腕用であればひじを挟んで上腕と前腕とに跨る部分、足用であればひざを挟んで大腿と脚とに跨る部分に装着するサポーターとして、サポーター本来の機能を有するとともに、防寒用途や冷房の冷えすぎを緩和する機能を有するものを新規に開発するに至っている。
このサポーターは、防寒や心地の良い装着感を重視する観点から、パイル起毛を施した編成生地が用いられている。
【０００３】
【発明が解決しようとする課題】
しかしながら、この種のサポーターの場合、メリヤス編みされた筒状の編成生地が用いられているので、筒周方向つまり横軸方向の伸縮性に比べて，　筒長手方向つまり縦軸方向の伸縮性が小さいので、装着に問題はないけれども、腕用ではひじ関節の屈伸により、足用ではひざ関節の屈伸動作によって、サポーターの位置ずれを生じやすい問題があった。
【０００４】
本発明は、上述の実状に鑑みて為されたものであって、その主たる課題は、メリヤス編みによる編成であるにもかかわらず、編成方向である縦軸方向と、この縦軸方向に対して直交する方向である横軸方向とに同等な伸縮性を形成することができる二軸伸縮生地を提供する点にある。
【０００５】
【課題を解決するための手段】
本発明の請求項１による二軸伸縮生地の特徴構成は、伸縮性編糸を用いてメリヤス編みされた編地の編成方向に沿って、編地の外面側にループ状に突出するパイル糸がメリヤス編みによって編み込まれるパイル編成部分を間欠に編成してある点にある。
【０００６】
上記特徴構成によれば、パイル糸が編み込まれていない部分においては、伸縮性編糸からなる編地の伸縮性がそのまま利用されることになり、生地全体としては、間欠にパイル編成部分が存在することになるので、編成方向つまり縦軸方向の伸縮性を、メリヤス編みの特性を示す横軸の伸縮性のように大きくすることができる。
そのため、縦軸に横軸と同様な伸縮性を形成することができるので、従来のサポーターのように、腕用ではひじ関節の屈伸により、足ではひざ関節の屈伸によって、位置ずれを生じやすい問題があったのを、縦軸の伸縮性が大きくなったことによって、サポーターの筒長手方向の伸縮動作に対応伸縮することができることによって、位置ずれ問題を解消することができると言うような、今までのメリヤス編みにない機能を有する生地を形成することができ、商品の多様化を図ることができる。好適な使用例としては、リストバンドやヘッドバンド等の装着バンド等があげられる。
【０００７】
本発明の請求項２による二軸伸縮生地の特徴構成は、前記編地が、筒状生地によって構成されている点にある。
【０００８】
上記特徴構成によれば、筒状生地であるサポーターなどを簡単に製作することができる。また、ヘットバンドなどにおいても、筒状生地の始端と終端とを結合縫製するだけの簡単な加工によって形成することができるので、加工性や信頼性のよい商品を形成することができる。
【０００９】
本発明の請求項３による二軸伸縮生地の特徴構成は、前記パイル編成部分が、筒状生地の筒長手方向に沿って編地部分と交互に編成されている点にある。
【００１０】
上記特徴構成によれば、パイル編成部分と編地部分との領域が区画化されているので、筒状生地の筒長手方向つまり縦軸方向の伸縮性を偏りがないものにすることができるので、筒周方向の何れの個所における縦軸方向の伸縮性を同じにすることができるので、製品品質として特性の安定したものを製作することができる。
【００１１】
本発明の請求項４による二軸伸縮生地の特徴構成は、前記伸縮性編糸が、収縮方向の弾性付勢力に抗して引伸ばし自在な弾性糸から構成されている点にある。
【００１２】
上記特徴構成によれば、編地を構成する弾性糸によって、縦軸方向、横軸方向にかかわらず、引き伸ばしに対して収縮方向の弾性力によって元の状態に復元しようとする特性をそのまま利用することができるので、例えば、サポーターなどの利用の場合、締め付け力の強弱によって使用する弾性糸を使い分けることによって、防寒用の締め付け力の弱いものから、サポーター本来の機能を重視した締め付け力の強いものまでの商品形態を構築することができると言うように、多様性のある商品に対応することができる。
【００１３】
【発明の実施の形態】
〔第１実施形態〕
以下、本発明の二軸伸縮生地ＡをサポーターＢに適用した第１実施形態を図面に基づいて説明する。
このサポーターＢは、図１、図２に示すように、伸縮性編糸を用いてメリヤス編みされた筒状の編地（以下、筒状編地と記載する）１の編成方向に沿って、設定長さに亘って、編地の外周面側にループ状に突出するパイル糸２がメリヤス編みによって編み込まれるパイル編成部分３を間欠に複数編成してある筒状の二軸伸縮生地Ａから形成されている。ここで、腕用のサポーターＢでは、ひじ関節を挟んで上腕と前椀とに跨る長さになっており、足用のサポーターＢでは、ひざ関節を挟んで大腿と下脚とに跨る長さになっており、周方向の長さは腕、足に対してサポーター機能を有する長さになっている。ここで、筒状編地１の編成方向を縦軸方向Ｙ、この縦軸方向Ｙと直交する方向を横軸方向Ｘと定義する。
【００１４】
また、サポーターＢには、筒状生地１の筒長手方向に沿って，　幅細帯状の編地露出部分（例えば、目数が４つ程度の編地部分）１Ａと，　これよりも太帯状のパイル編成部分（例えば、目数が２０程度のパイル編成部分）３が交互に編成されている。詳しくは、筒状生地１の筒長手方向の両端部に、目数が４０程度のパイル編成部分３が形成され、筒状生地１の筒長手方向の中央部に、目数が２０程度のパイル編成部分３と、目数が４つ程度の編地部分１Ａが交互に編成されている。
【００１５】
前記パイル編成部分３は、メリヤス編みの編地１を構成する地糸１１と、編地１の外面側にループ状に突出する状態で編み込まれるパイル糸２とをもって筒状に編成され、メリヤス編みされた筒状編地１の表面側にパイル糸２を起毛する構成になっている。
【００１６】
筒状編地１を構成する地糸１１は、例えば、図３に示すように、表糸１１ａと裏糸１１ｂとが、伸縮性編糸であるところのポリウレタンと７０デニーロのナイロンとからなる一本構成の弾性糸（ＦＴＹ）から構成されているとともに、前記パイル糸２は、一本構成の２０番ないし３０番の綿糸又は綿アクリル混紡糸或は２０番ないし３０番の毛糸又は毛アクリル混紡糸から構成されている。ここで、この実施形態における筒状編地１を構成する伸縮性編糸は、前記内容の弾性糸（ＦＴＹ）から構成されている。
【００１７】
また、筒状編地１のうち、筒長手方向両端の開口に位置する適宜長さの領域には、例えば、筒状編地１を構成する地糸１１と共に所定本数のゴム糸１２が編み込まれている。
【００１８】
このような構成にすることによって，　図２に示すように、サポーターＢの横軸方向Ｘは、メリヤス編みされた筒状編地１及びパイル編成部分３によって横軸方向Ｘに伸張量のある伸縮性を形成することができ、サポーターＢの縦軸方向Ｙは、縦軸方向Ｙに沿って存在する複数の編地露出部分１Ａによって、当該サポーターＢの縦軸方向に弾性糸の伸縮性が加算された横軸と同様に伸張量のある伸縮性を形成することができる。
【００１９】
〔その他の実施形態〕
１）上記第１実施形態において、サポーターＢに二軸伸縮生地Ａを用いた例を説明したが、本発明はこれに限らず、リストバンドに適用しても、或は、図４に示すように、二軸伸縮生地Ａからなる筒状体の始端１Ｂと終端１Ｃとを結合縫製して、ヘットバンドＣを形成してもよい。
【００２０】
２）上記実施形態では、筒状編地１の筒長手方向に沿って、帯状の編地露出部分１Ａと、帯状のパイル編成部３とを交互に編成するもについて説明したが、本発明はこれに限らず、筒状編地１の筒長手方向の一端から他端に連続して螺旋帯状の編地露出部分１Ａを形成するものであってもよい。
【００２１】
３）上記実施形態では、二軸伸縮生地Ａからなる筒状の適用商品を説明したが、本発明はこれに限らず、二軸伸縮生地Ａからなる平面状の適用商品であってもよい。
【００２２】
４）前記筒状編地１を構成する地糸１１として、例えば、一本構成の２０番ないし３０番の綿糸又は綿アクリル混紡糸あるいは２０番ないし３０番の毛糸又は毛アクリル混紡糸からなる表糸１１ａと、２０デニールのポリウレタンと７０デニールのナイロンとからなる一本の裏糸１１ｂとしての弾性糸（ＦＴＹ）から構成し、厚みがありながらも伸縮性が大きな素地を構成してもよい。
【図面の簡単な説明】
【図１】本発明の二軸伸縮生地を適用した第１実施形態のサポーターの全体を示す簡略斜視図
【図２】サポーターを引き伸ばした状態を仮想線で示す説明図
【図３】パイル編成部分の編成構造を示す模式説明図
【図４】本発明の二軸伸縮生地を適用したヘッドバンドの全体を示す簡略斜視図
【符号の説明】
Ａ　　　　　　二軸伸縮生地
１　　　　　　編地（筒状編地）
２　　　　　　パイル糸
３　　　　　　パイル編成部分
１１ａ　　　　表糸（伸縮性編糸）
１１ｂ　　　　裏糸（伸縮性編糸）
【図１】
2004100078.tif 000003
【図２】
2004100078.tif 000004
【図３】
2004100078.tif 000005
【図４】
2004100078.tif 000006